Podtech/llm-jp-corpus-v4-ja_patent huggingface dataset:
(57)【要約】【課題】本発明は、合成畳表を用いた置き畳において、端面に毛羽立ちがない置き畳を提供するものである。【解決手段】合成畳表と合成樹脂発泡体またはフェルト等を接着してなる置き畳の合成畳表部分を合成畳表の面から抜き刃を当てて打ち抜き加工した後、１辺ずつ均一に１９０℃位の熱板に押し当てて熔融させる。このとき熱板を、畳表面と直角に押し当てることにより、バリを生ずることなく簡単に毛羽立ちを押さえることが出来る。【選択図】        図２
2004316193.tif 000002
【特許請求の範囲】
【請求項１】
合成畳表と合成樹脂発泡体またはフェルト等を接着してなる置き畳において、合成畳表の面から抜き刃を当てて打ち抜き加工した後、端面に、畳表面と直角に熱板を接触させて加熱溶融することによる、端面処理の方法
【請求項２】
合成畳表と合成樹脂発泡体またはフェルト等を接着してなる置き畳において、合成畳表の面から抜き刃を当てて打ち抜き加工した後、端面の框側に畳表面と直角に熱板を接触させて加熱溶融し、幅側はシアノアクリレート樹脂を含浸することによる、端面処理の方法
【発明の詳細な説明】
【０００１】
【発明の属する技術分野】
本発明は、合成畳表を用いた縁帯無しの置き畳において、端面をきれいに仕上げる処理方法に関するものである。
【０００２】
【従来の技術】
従来、縁帯なしの薄い置き畳の製造方法として、畳床と畳表を接着剤を用いて接着することによる方法が知られている。
畳表として、積水成型工業株式会社の商品名「美草」に代表されるポリプロピレン製の合成畳表を用いることにより、変色性に優れた縁無し置き畳が製造できることも知られている。
【０００３】
しかしながら、このような薄畳は、畳表を畳床に巻き込まず、また縁帯による保護もないので、畳表の端面が毛羽立ち、そのために端面処理が必要であった。
その端面処理の方法としては、特許公開２００１−５９３３４号公報における方法がある。この特許で得られる薄畳は、畳表と同じ寸法の畳床とが接着され、畳表の縁部が全周に亘って斜めに面取りまたは熱プレスされ、側面には樹脂によって保護膜が形成されている。
【０００４】
【発明が解決しようとする課題】
しかしながら、斜めに熱プレスするだけでは、溶融したポリプロピレンがかえってバリをつくってしまう。バリが上に出るので、歩行時に引っかかってしまうという問題があり、バリ取りをするか、特許公開２００１−５９３３４号公報における方法のように、畳表に対して斜めに熱プレスした後に保護膜を再度加工することが必要であった。
【０００５】
【課題を解決するための手段】
本発明の要点は、合成畳表の面から抜き刃を当てて打ち抜き加工した後、端面に、畳表面とは直角に熱板を接触させて加熱溶融することにより、端面のバリを生じることなく毛羽立ちを押さえることである。
合成の畳表は通常ポリプロピレンで作られる。ポリプロピレンの融点は１７６℃（プラスチックデータハンドブック参照）であるので、それ以上の温度で処理すれば合成畳表を熔かすことが出来る。発明者らは当初、１８０℃の熱板にこの合成畳表の角を押し付けてみたが、熔融したポリプロピレンは上下双方に流動し、これが冷えると上下双方にバリを生じた。下面のバリは特に問題ではないが、上面のバリは歩行時の問題となる。
【０００６】
そこで発明者らは、鋭意研究の結果、置き畳を合成畳表の面から抜き刃を当てて打ち抜き加工した後、端面に、畳表面とは直角に熱板を接触させて加熱溶融することにより、バリができないことを突き止めた。すなわち、合成畳表の面から抜き刃を当てて打ち抜けば、この打ち抜き工程によって畳表はあらかじめ裏側に向かってカールするので、これを熱処理してもバリにはならないわけである。
【０００７】
熱板の温度は１９０℃くらいが適当である。これより低いと端面処理に時間がかかり作業効率が悪い。また、あまりに温度が高いと、ポリプロピレンの熱分解により、変色を起こすことがある。
また、置き畳の幅側すなわち框側の９０度直角方向は、発明者らによる特願２００３―０６６１１２による方法のようにシアノアクリレート樹脂を含浸することによって熱処理に代える方法も毛羽立ちをおさえるには有効な手段である。
【０００８】
【発明の実施の形態】
畳床として発泡体やフェルトなどを用い、これに合成畳表を接着した後、抜き型プレスで合成畳表の面から抜き刃を当て打ち抜いて置き畳を得る。この置き畳の４辺の毛羽立ちを押さえるために熱板を畳表面に対して直角に当て、１辺全体を均一な力で押し付けることにより、バリを生ずることなく簡単に毛羽立ちを押さえることが出来る。これにより毛羽立ちもバリもない合成畳表を有する置き畳を得ることができる。
【０００９】
【実施例】
＜実施例１＞
炭酸カルシウム入り合成樹脂発泡体５ｍｍを畳床とし、接着剤を用いて合成畳表（積水成型工業株式会社の美草）を貼り付け、抜きプレスにて畳面に抜き刃をあてて９０ｃｍ角に打ち抜いた。
得られた置き畳の４辺を、１辺ずつ、熱板を畳表面とは直角に、１辺あたり５秒間、全体を均一な力で押し付けた。熱板の温度は１９０℃とした。作業の結果、均一に端面の毛羽立ちを押さえることが出来、上面にバリは生じなかった。これにより、毛羽立ちのない合成畳表を有する置き畳を得ることができた。畳を敷き詰めたところ、突合せ部分の段差がなく、美しい畳部屋が出来上がった。
【００１０】
＜比較例１＞
炭酸カルシウム入り合成樹脂発泡体５ｍｍを畳床とし、接着剤を用いて合成畳表（積水成型工業株式会社の美草）を貼り付け、チップソーにて９０ｃｍ角に切断した。
得られた置き畳の４辺を、１辺ずつ、斜めに傾けたホットプレートに、１辺あたり５秒間、全体を均一な力で押し付けた。ホットプレートの温度は１９０℃とした。
作業の結果、合成い草の端面は上面にバリを生じた。畳を敷き詰めたところ、斜めに熔融した部分が醜かった。
【００１１】
【発明の効果】
以上説明したように本発明の端面処理を施すことにより、置き畳の毛羽立ちがなくなり、突合せ面の段差も少なくて外観上優れるだけでなく、畳の上の歩行時に畳と畳のつなぎ目に引っかかる事故を防止できる。
さらには、端面が熔融することにより、合成畳表の端面の強度が向上し、置き畳の耐久性が上がるという、補強効果も期待できる。
【図面の簡単な説明】
【図１】実施例１に示す、抜きプレスにて畳面に抜き刃を当てて打ち抜いた後の畳の断面を図示したものである。
【図２】実施例１に示す、熱板で畳表面とは直角に置き畳の端面を処理する方法を図示したものである。
【符号の説明】
１    合成畳表
２    合成樹脂発泡体
３    熱板
【図１】
2004316193.tif 000003
【図２】
2004316193.tif 000004
(57)【要約】【課題】冷凍機油油面がシリンダ下面より低下した場合でも、ベーン溝の潤滑性が劣化しない密閉型回転式圧縮機を提供する。【解決手段】バルブカバー油受構造部にベーン溝にげ穴とほぼ同等の大きさ形状の孔を設け、前記上軸受にも前記シリンダベーン溝にげ穴とほぼ同等の大きさ形状の孔を設け、かつ、前記上軸受上面部形状を、孔の位置する部分が最底部となる様に傾斜させ、ベーン溝にげ穴が、前記上軸受の孔の下部に位置する構成とすることにより、ベーン溝にげ穴に直接、効果的に供給することができ、ベーン及びベーン溝の潤滑性を著しく向上させる。【選択図】  図１
2004316589.tif 000002
【特許請求の範囲】
【請求項１】
電動要素と圧縮要素を密閉容器内に収納して、密閉型回転式圧縮機を構成し、前記圧縮要素を前記電動要素により駆動されるクランク軸とこのクランク軸に回転自在に嵌合されたピストンと、このピストンに先端を接して往復運動を行い、シリンダ内を冷媒の吸入室と圧縮室に分けるベーンと、前記クランク軸を支え、かつ上記シリンダの両端を閉塞する上軸受及び下軸受とによって構成し、バルブカバ−の形状を冷凍機油を受ける構造として、前記バルブカバ−油受構造部にシリンダベ−ン溝にげ穴とほぼ同等の大きさ形状の孔を設け、前記上軸受にもシリンダベーン溝にげ穴とほぼ同等の大きさ形状の孔を設け、かつ、上軸受上面部形状を孔の位置する部分が最底部となるように傾斜させ、シリンダベーン溝にげ穴が前記上軸受孔の下部に位置する密閉型回転式圧縮機。
【発明の詳細な説明】
【０００１】
【発明の属する技術分野】
本発明は、密閉型回転式圧縮機におけるシリンダベーン溝部の潤滑構造に関する。
【０００２】
【従来の技術】
従来の密閉型回転式圧縮機の一例を図４、図５に示す。同図において１は固定子、２は回転子で、この両者で電動要素を形成する。３はシャフト、４は上軸受、５は下軸受、６はシリンダ、７はピストンでこれらは圧縮要素を形成する。８は密閉容器、９は冷凍機油、１０はベーン、１１はバルブカバーである。そして圧縮要素は、シリンダ６より張出した部分により、密閉容器８に溶接固定されている。密閉型回転式圧縮機の運転時、ベ−ン１０及びベ−ン溝の潤滑は、ほとんど密閉容器８の下部に溜まっている冷凍器油９だけである。
【０００３】
【特許文献１】
特開昭６２−０１０４９４号公報
【０００４】
【発明が解決しようとする課題】
しかしながら、上記構成では、密閉型回転式圧縮機の運転時、ベーン１０及びベーン溝の潤滑は、ほとんど密閉容器８の下部に溜まっている冷凍機油９に依存するだけであり、冷凍機油油面がシリンダ下面より低下した場合、ベーン１０及びベーン溝の潤滑性が劣化するという問題点を有していた。
【０００５】
本発明は、ベーン１０及びベーン溝の潤滑性を向上させるための機能を備えた密閉型回転式圧縮機である。
【０００６】
【問題を解決するための手段】
上記問題点を解決するために、バルブカバー油受構造部にシリンダベーン溝にげ穴とほぼ同等の大きさ形状の孔を設け、前記上軸受にも前記シリンダベーン溝にげ穴とほぼ同等の大きさ形状の孔を設け、かつ、前記上軸受上面部形状を、孔の位置する部分が最底部となる様に傾斜させ、前記シリンダベーン溝にげ穴が、前記上軸受の孔の下部に位置する構成により、密閉容器内壁および固定子内を下方に流れ落ちる冷凍機油を、前記バルブカバー油受構造部に受け、前記バルブカバー油受構造部の孔より前記上軸受上面に流入させ、前記上軸受上面傾斜構造により孔に流入させ、前記シリンダベーン溝にげ穴に直接、効果的に供給することができ、ベーン及びベーン溝の潤滑性を著しく向上させるものである。
【０００７】
【発明の実施の形態】
以下、本発明の実施の形態について、図１、図２を参照しながら説明する。
【０００８】
（実施の形態１）
図１は、本発明の実施例における密閉型回転式圧縮機の全体図を示すものである。
【０００９】
図２は、密閉型回転式圧縮機において、圧縮要素の図１のＡーＡ断面矢視図である。同図において、２０はベーン、２１はバルブカバー、２２はバルブカバー油受構造部に設けた孔、２３は上軸受１４に設けた孔であり、孔の下部にシリンダベーン溝にげ孔２４が位置している。
【００１０】
図３はバルブカバー２１の図２におけるＣ−Ｃ断面矢視図である。バルブカバ−２１はバルブカバー油受構造部を有しており、バルブカバー油受構造部に設けた孔２２の部分が上軸受１４の孔２３の上に位置している。
【００１１】
上記実施例において、電動要素により圧縮要素を運転することにより、密閉容器下部に位置する冷凍機油１９は、吐出ガスと一緒にかき上げられ、その大部分は、密閉容器内壁および固定子内に付着し、密閉容器内壁および固定子内を通じて、下方に流れ、バルブカバー２１のバルブカバー油受構造部に流れ込み、バルブカバ−油受構造部の孔２２より上軸受１４上面に流れ込み、上軸受上面傾斜構造により、孔２３に流入し、シリンダベーン溝にげ穴２４に直接滴下する。このことによりベーン２０及びベーン溝部の潤滑性を向上することができる。
【００１２】
バルブカバー油受構造部の孔の大きさは、本実施例の大きさより、多少大きさを変化させても充分効果がある。
【００１３】
【発明の効果】
以上のように本発明は、バルブカバー油受構造部にシリンダベーン溝にげ穴とほぼ同等の大きさ形状の孔を設け、前記上軸受にも前記シリンダベーン溝にげ穴とほぼ同等の大きさ形状の孔を設け、かつ、前記上軸受上面部形状を、孔の位置する部分が最底部となる様に傾斜させ、前記シリンダベーン溝にげ穴が、前記上軸受の孔の下部に位置する構成により、密閉容器内壁および固定子内を下方に流れ落ちる冷凍機油を、前記バルブカバー油受構造部に受け、前記バルブカバー油受構造部の孔より前記上軸受上面に流入させ、前記上軸受上面傾斜構造により孔に流入させ、前記シリンダベーン溝にげ穴に直接、効果的に供給することができ、ベーン及びベーン溝の潤滑性を著しく向上させるものである。
【図面の簡単な説明】
【図１】本発明の一実施例における密閉型回転式圧縮機の断面図
【図２】図１におけるＡ−Ａ矢視断面図
【図３】バルブカバー２１の図２におけるＣ−Ｃ矢視断面図
【図４】従来例を示す密閉型回転式圧縮機の断面図
【図５】図４におけるＡ−Ａ矢視断面図
【符号の説明】
１１  固定子
１２  回転子
１３  シャフト
１４  上軸受
１５  下軸受
１６  シリンダ
１７  ピストン
１８  密閉容器
１９  冷凍機油
２０  ベーン
２１  バルブカバー
２２  バルブカバー油受構造部の孔
２３  上軸受１４に設けた孔
２４  シリンダベーン溝にげ穴
【図１】
2004316589.tif 000003
【図２】
2004316589.tif 000004
【図３】
2004316589.tif 000005
【図４】
2004316589.tif 000006
【図５】
2004316589.tif 000007
(57)【要約】【解決手段】外着部とパンツ部からなるタンクトップ水着において、外着部の前身頃１上部にその内面に一対のカップ部３を有するバスト部４を設け、バスト部４の両端にその先端に結合具５，５を有するバンド片６，６を設け、更に前身頃１の両側部から夫々先端部８，８を開放した帯び片９，９を設けたタンクトップ水着。【効果】外着部の前身頃１両側より夫々延設される帯び片９，９の結び長さを調製することにより着用者の体形或はその場の雰囲気に応じて外着部の胴回りを調製できる。【選択図】        図１
2004316009.tif 000002
【特許請求の範囲】
【請求項１】
外着部とパンツ部からなるタンクトップ水着において、外着部の前身頃上部にその内面に一対のカップ部を有するバスト部を設け、該バスト部の両端にその先端に結合具を有するバンド片を設け、更に上記外着部の前身頃両側部から夫々先端部を開放した帯び片を設けたことを特徴とするタンクトップ水着。
【請求項２】
帯び片が先端部に掛けて縮径形状である請求項１記載のタンクトップ水着。
【請求項３】
バンド片が外着部と合い布地で構成した請求項１記載のタンクトップ水着。
【発明の詳細な説明】
【０００１】
【発明が属する技術分野】
この発明は、着用者に合わせて外着部の胴回りを調製できるようにしたタンクトップ水着に関するものである。
【０００２】
【従来の技術】
婦人用水着はワンピースタイプとセパレートタイプに大別されるが、最近セパレートに分類されるタンクトップ水着が流行する傾向にある。
【０００３】
本願発明者は先にパンツ部の上方を延長して上縁部を形成し、該上縁部の後身頃の上端を外着部の後身頃の上端内周に逢着し、更に上記上縁部の前身頃を上記カップ部に当接する箇所を切り欠き、且つその上端を外着部の前身頃上端内周に逢着させたタンクトップ水着を提案した（実用新案登録第３０７８９９９号）。
【０００４】
【発明が解決しようとする課題】
しかし、このようなタンクトップ水着において外着部の胴回りが固定されており、したがって自分に合ったものしか着用できないという不便さがあった。
【０００５】
そこで、この発明は体形或はその場の雰囲気など外着部の胴回りを調製できるようにしたタンクトップ水着を提供することを目的とする。
【０００６】
【課題を解決するための手段】
この発明は、上記実情に鑑み、外着部とパンツ部からなるタンクトップ水着において、外着部の前身頃上部にその内面に一対のカップ部を有するバスト部を設け、該バスト部の両端にその先端に結合具を有するバンド片を設け、更に上記外着部の前身頃両側部から夫々先端部を開放した帯び片を設けたタンクトップ水着を提案するものである。
【０００７】
【発明の実施の形態】
即ち、この発明においては外着部前身頃両側部より夫々先端部を開放した帯び片を設けてあるため、両帯び片の結び長さを調製することにより着用者の体形或はその場の雰囲気で外着部の胴回りを調製できる。
【０００８】
また、外着部前身頃の下部を内側に折り返し状にして両帯び片を結ぶことにより外着部とパンツ部が分離したセパレートタイプの水着とすることもできる。
【０００９】
なお、帯び片を開放された先端部に掛けて縮径形状にすれば、外着部としての体裁を損なうことなく、両帯び片の結び長さの調整を容易に行うことができる。
【００１０】
また、この発明においては外着部の両端が分離してバスト部の両端に設けられたバンド片が露出されるため、バンド片を従来使用されてきた布地で構成した場合不体裁を生ずるが、バンド片を外着部と合い布地で構成することによりこのような不体裁を解消できる。
【００１１】
【実施例】
以下、この発明を図示された実施例に基づいて詳細に説明すると、１は外着部の前身頃、２はパンツ部であり、前身頃１の上部には膨出した一対のカップ部３を有するバスト部４が逢着され、またバスト部４の両端には前身頃１と合い布地で構成された両端に結合具５，５を有するバンド片６，６が設けられ、更にバスト部４の上端には肩紐部７，７が設けられる。
【００１２】
一方、前身頃１の両側部にはその先端部８，８を開放端部とする帯び片９，９が逢着される。
【００１３】
なお、この実施例では帯び片９は基端部から先端部８に掛けて縮径させた形状にしてある。
【００１４】
以上の構成において、水着着用時において肩紐部７，７の先端を結び、且つ着用者の体形或はその場の雰囲気に応じて帯び片９，９の結び長さを調製してタンクトップ水着とするものである。
【００１５】
なお、前身頃１の下部を内側に折り返して帯び片９，９を結ぶことにより、外着部の前身頃１とパンツ部２が分離され、セパレートタイプの水着とすることができる（図３参照）。
【００１６】
また、この実施例では帯び片９を先端部８に掛けて縮径させた形状にしてあるため、外着部の体裁を損なうことなく、容易に帯び片９，９の結び長さの調整を行うことができる。
【００１７】
更に、この発明では外部に露出されるハンド片６，６を外着部１と合い布地で構成してあるため、外観状も不体裁がない。
【００１８】
【発明の効果】
以上要するに、この発明によれば外着部の前身頃両側より夫々延設される帯び片の結び長さを調製することにより着用者の体形或はその場の雰囲気に応じて外着部の胴回りを調製できる。
【図面の簡単な説明】
【図１】この発明のタンクトップ水着における外着部の平面図
【図２】同上の実施例において帯び片を結んだ状態における外着部の背面図
【図３】同上の実施例においてセパレートタイプの水着とする場合の説明図
【符号の説明】
１は外着部の前身頃
２はパンツ部
３は一対のカップ部
４はバスト部
５，５は結合具
６，６はバンド片
７，７は肩紐部
８，８は帯び片の先端部
９，９は帯び片
【図１】
2004316009.tif 000003
【図２】
2004316009.tif 000004
【図３】
2004316009.tif 000005
(57)【要約】【課題】透水性アスファルト舗装層における骨材同士の接着力を簡単な方法により高めることのできる透水性アスファルト舗装層の強化方法を提供すること。【解決手段】透水性アスファルト舗装用のアスファルト混合物により築造した透水性アスファルト舗装層に酸素を含有する気体を吹き付け、該舗装層内に酸素を含有する気体を浸透させてアスファルトの酸化反応を促進し、これにより透水性アスファルト舗装層の安定度を高める。【選択図】    なし【特許請求の範囲】
【請求項１】
透水性アスファルト舗装用のアスファルト混合物により築造した透水性アスファルト舗装層からなる表層に酸素を含有する気体を吹き付けてなることを特徴とする透水性アスファルト舗装層の強化方法。
【請求項２】
不透水性の舗装層を築造してなる表面に加熱された透水性アスファルト舗装用のアスファルト混合物を敷きならし、そのあと転圧とともに酸素を含有する気体を吹き付けてなることを特徴とする透水性アスファルト舗装層の強化方法。
【発明の詳細な説明】
【０００１】
本発明は、透水性アスファルト舗装層の強化方法に関するものである。
【０００２】
【従来の技術】
透水性アスファルト舗装層は、路面の水溜りをなくすために路面の表層に築造される。たとえば表層が密粒度アスファルト混合物により築造した不透水性の舗装面であると、降雨などにより水溜りが発生し、歩行を妨げたり車両の走行により水跳ねを起こしたり、あるいはハイドロプレーン現象を引き起こすなど悪影響を及ぼす場合がある。そこで、不透水性の舗装面の上に透水性アスファルト舗装層を築造すると、その表面に降った雨水はその層を通過し、下層の不透水性アスファルト層の表面を移動して側溝などに排出され、路面上の水溜りをなくすることができる。
【０００３】
ところで透水性アスファルト層は、大きい透水係数（約  ６×１０−２ｃｍ／秒）を得るために、孔隙率２５％以上の多孔層とされている。この多孔層は、骨材の粒度構成を粗くして、骨材同士の接触点を疎にした多孔性複合体とすることにより形成され、その多孔性複合体の機械的強度を保つ為に、高粘度で接着力の大きい特殊なバインダーが使用されている。
【０００４】
【発明が解決しようとする課題】
しかし、透水性アスファルト舗装層とした路面は、骨材同士の接触点が疎であることに起因し、マーシャル安定度試験による安定度が、不透水性アスファルト層（孔隙率４〜７％と云われている。）のそれより低く、特に停止・発進が繰り返されるバスの停留所や急カーブなど路面に大きいせん断応力が頻繁に掛かる箇所で骨材を剥離するなど損傷しやすいという問題がある。
【０００５】
本発明は、斯かる問題に鑑みなされたもので、透水性アスファルト舗装層における骨材同士の接着力を簡単な方法により高めることのできる透水性アスファルト舗装層の強化方法を提供することを目的とする。
【０００６】
【課題を解決するための手段】
請求項１に係る本発明は、透水性アスファルト舗装用のアスファルト混合物により築造した透水性アスファルト舗装層からなる表層に酸素を含有する気体を吹き付けてなることを特徴とし、請求項２に係る本発明は、不透水性の舗装層を築造してなる表面に加熱された透水性アスファルト舗装用のアスファルト混合物を敷きならし、そのあと転圧とともに酸素を含有する気体を吹き付けてなることを特徴とする。
【０００７】
透水性アスファルト舗装層に酸素を含有する気体を吹き付けると、その気体は多孔層である透水性アスファルト舗装層に浸透し、アスファルトの酸化を促進する。これにより骨材同士の接着力が高められる。また、透水性アスファルト舗装用のアスファルト混合物を敷きならした直後、又は転圧とほぼ同時に酸素を含有する気体を吹き付けると、透水性アスファルト舗装層の築造直後からマーシャル安定度試験による安定度の高い透水性アスファルト舗装層を得ることができる。
【０００８】
【発明の実施の形態】
密粒度アスファルト混合物からなる不透水性の舗装層を築造してなる表面に、アスファルトフイニッシャー（大規模施工の場合）または手作業（小規模施工の場合）により加熱された透水性アスファルト舗装用のアスファルト混合物を敷きならし、その状態で敷きならしたアスファルト混合物からなる層すなわち透水性アスファルト舗装層に、酸素を含有する気体（好ましくは酸素量１０〜３０％の気体、空気の場合もある。）を間歇的に吹き付ける。この吹き付けにより細い孔隙の中へ空気を送り込むことができ透水性アスファルト層の酸化反応が促進される。酸素を含有する気体の吹き付け後ローラあるいはヒブロプレートなどで転圧（強く押し付ける）して透水性の舗装層を完成させる。
【０００９】
なお、上記の例では、酸素を含有する気体の吹き付けを転圧前に行っているが、酸素を含有する気体の吹き付けは、転圧と同時または直後、あるいは透水性の舗装層の完成後の任意の時期に行ってもよい。また、吹き付ける酸素を含有する気体の温度は常温から３００℃の間で任意であるが、上記の例、転圧と同時または直後に吹き付ける場合には、透水性アスファルト層の温度を低下させない程度に加熱することが好ましい。さらに、下層は不透水性の舗装層に限られるものではない。
【００１０】
空気を吹き付けて形成した透水性アスファルト舗装層について、マーシャル安定度試験をした。この試験は、加熱した透水性アスファルト舗装用のアスファルト混合物の大口試料の一部をほぼ同じ温度に加熱されたマーシャル安定度試験の試料調整用容器に採り、両面から５０回ずつ定法に従って突き固めた。同種の検体を１２個調整した。その内の６個は調整用容器に容れたままで放冷し（Ａ群）、他の６個は調整用容器に容れたままで上面から酸素を含有する気体（この場合空気）を約１分間吹き付けた後、放冷した（Ｂ群）。この試験においては吹き付けた酸素を含有する気体の温度を、試料が冷めない状態を保つために１５０℃とした。そして、何れの試料も室温にまで冷めた時に、調整用容器から取り出し、Ａ・Ｂ両群から６個ずつ検体を取り出し、２回に分けて定法に従って６０  ℃に温めた状態でマーシャル安定度を測定した。その結果を表１に示す。
【００１１】
【表１】
2004316079.tif 000002
【００１２】
表１で明らかなように、フロー値が変わることなく、酸素を含有する気体を吹き付けて処理をしない試料では、５．２〜６．０ｋＮの安定度であるのに対して、酸素を含有する気体を吹き付けて処理した試料では、７．９〜９．４ｋＮの高い安定度が得られ、酸素を含有する気体を吹き付けて処理した透水性アスファルト舗装層は安定度が格段に増加することが理解される。
【００１３】
【発明の効果】
以上詳述したように、本発明よれば透水性アスファルト舗装層に酸素を含有する気体を吹き付けるという簡便な方法により、透水性アスファルト舗装層の安定度を高めることができ、透水性アスファルト舗装層の損傷を低減することができる。
(57)【要約】【課題】携帯に便利なようにコンパクトでありながら、誰でも簡単に使用でき、吸収体を内蔵することにより漏れを防止できるようにして、簡単で不快感が少なく処理できるようにする。【解決手段】安心ゲット本体３は外から内部が見えず折りたためる防水紙を使用し、底部には吸収体４を内蔵する。また、首に掛けて簡単に使用できるように伸縮性の有るバンド１を取り付ける。【選択図】    図３
2004316045.tif 000002
【特許請求の範囲】
【請求項１】
受け止め口と底に吸収体の入った防水紙で作った袋を、伸縮性の有るバンドで首に掛けておく事により、乗り物酔いや、気分が悪くなった時に嘔吐物を受け止められるようした生理用品。また、子供の食べこぼし、介護時の食事の食べこぼしにも使用可能。
【請求項２】
使用後は、首に掛けるバンド部分で受け止め口を縛ることで、簡単、衛生的に処理できる。
【請求項３】
未使用時は薄く折り畳んであるので、携帯や常備しておくのにスペースをとらない。また、すべて可燃性、バンドは肌にやさしい素材を使用し、人と環境にやさしい生理用品。
【発明の詳細な説明】
【０００１】
【発明の属する技術分野】
本発明は、伸縮性の有るバンド付きの受け止め口と底に吸収体入りの防水性紙袋を首に掛けておく事によって、急な嘔吐に対処できるようにしたものである。また、本発明は、乗り物酔いや、緊急時を前提にしているので、未使用時は薄く折り畳んである為、携帯や常備するのにスペースを取らない。
【０００２】
【従来の技術】
従来では、バケツ、洗面器、ビニール袋で受け止めていたが、嘔吐物を処理する人に手間や不快感が残った。又、大勢の人の中での嘔吐は、廻りの多数の人に不快感や、気分の悪い思いをさせていた。
【０００３】
【発明の実施の形態】
本発明は、外出先の乗り物酔いや、急な病気による嘔吐に対応できるように作られている。それをイラストについて説明すれば図３の首に掛けるバンド１は伸縮性の有る紙おむつなどで使用されている素材のものを、底には外に漏れないように吸収体４が内蔵されている。未使用時は薄く折りたたんであるのでコンパクト。
【０００４】
【発明の効果】
このようにすれば外出先での乗り物酔いや急な病気による嘔吐にすぐに対応でき、介護人や同行者等の嘔吐物を処理する人の負担がより少なくできる。
本発明はコンパクトで低価格の為、各家庭、病院、介護施設、乗り物に常備しやすい発明である。
【図面の簡単な説明】
【図１】発明品の使用例である。
【図２】発明品の折りただんだ状態である。
【図３】発明品を広げた状態と、内部構造である。
【図４】発明品の使用後で処理状態である。
【符号の説明】
１    首に掛ける伸縮性の有るバンド
２    受け止め口
３    安心ゲット本体
４    底に内蔵の吸収体
【図１】
2004316045.tif 000003
【図２】
2004316045.tif 000004
【図３】
2004316045.tif 000005
【図４】
2004316045.tif 000006
(57)【要約】【課題】作業時に手元を照らすためのライトを取り付けた手袋を提供する。【解決手段】手袋（１）の表面に照明部品（２）を設けたグローブであることを特徴とする。【選択図】      図１
2004316050.tif 000002
【特許請求の範囲】
【請求項１】
手袋（１）の表面に照明部品（２）を設けたライト付きグローブ。
【発明の詳細な説明】
【０００１】
【発明の属する技術分野】
この発明は、作業時に手元を照らすためのライトを取り付けた手袋に関するものである。
【０００２】
【従来の技術】
従来、手元が暗いときに作業をするには、片手に懐中電灯を持ってもう一方の手で作業をしていた。また、肩やヘルメット、胸ポケットに懐中電灯を取り付けて作業を行っていた。
【０００３】
【発明が解決しようとする課題】
そのために、次のような欠点があった。
（イ）片手がふさがり、作業が妨げられた。
（ロ）手元を正確に照らすことが出来ず、むしろ自分の手で陰を作ってしまうので手元が暗くなってしまった。
（ハ）肩やヘルメット、胸ポケットに懐中電灯を取り付けて作業を行うと、体を動かしたときに照射角度などが変わってしまう。
（ニ）照明器具と作業場所の距離が長くなるため、光を強くする必要があった。
本発明は、これらの欠点を解決するためになされたものである。
【０００４】
【課題を解決しようとする手段】
手袋（１）の表面に照明部品（２）を設ける。
本発明は、以上の構成からなるライト付きグローブである。
【０００５】
【発明の実施の形態】
以下、本発明の実施の形態について説明する。
（イ）手袋（１）の指の部分に豆電球や発光ダイオードなどの照明部品（２）を取り付ける。
（ロ）スイッチのついた電池ケース（３）を手袋（１）の手首部分に取り付ける。
（ハ）配線部、電池ケース（３）を守るため上から、薄い指出し手袋などのカバー（４）をかける。
（ニ）スイッチを動かすために、カバー（４）に穴を開ける。
本発明は以上のような構造でこれを使用する。
【０００６】
【発明の効果】
片手で懐中電灯などを持つことがないので、両手を自由に使うことが出来る。また、作業を行う手の後ろからではなく手袋から照らすので光が弱くても明るく、手や指が陰を作ることがない。そのうえ、胸ポケットや肩、ヘルメットに取り付けるための特殊な懐中電灯やベルトなども必要なく、手を移動しない限り光の照射点がずれないので、体を自在に動かせる。
【図面の簡単な説明】
【図１】本発明の正面図
【図２】本発明の使用状態を示す説明図
【符号の説明】
（１）手袋
（２）照明部品
（３）電池ケース
（４）カバー
【図１】
2004316050.tif 000003
【図２】
2004316050.tif 000004
(57)【要約】【課題】クリップ収納部を有するぬいぐるみに、着脱可能なクリップを収納したぬいぐるみクリップを提供する。【解決手段】クリップ収納部を有するぬいぐるみに、一方の挟時片の二股の先端（２）が前足（８）に、他方の挟持片の二股の先端（３）が後足（９）に位置するようにクリップを収納し、頭部（１０）に前つまび部（４）を、尾部（１１）に、後つまび部（５）を収納し、前足、後足の裏（１３）と、頭部と尾部の指で押圧するところ（１３）は、滑り止め材を設けたことを特徴とする。【選択図】    図１
2004316876.tif 000002
【特許請求の範囲】
【請求項１】
クリップ収納部を有するぬいぐるみに、一方の挟持片の二股の先端（２）が前足（８）に、他方の挟持片の二股の先端（３）が後足（９）に位置するようにクリップを収納し、頭部（１０）に前つまび部（４）を、尾部（１１）に、後つまび部（５）を収納した、ぬいぐるみクリップ。
【請求項２】
ぬいぐるみの前足（８）、後足（９）の裏（１３）と、頭部（１０）と尾部（１１）の指で押圧するところに、滑り止め（１３）材を設けたことを特徴とする請求項１記載のぬいぐるみクリップ。
【発明の詳細な説明】
【０００１】
【発明の属する技術分野】
本発明は、クリップ収納部を有するぬいぐるみに、着脱可能なクリップを組み込んだ、ぬいぐるみクリップに関するものである。
【０００２】
【従来の技術】
従来、クリップは、プラスチックや金属製による家庭用や工業デザインのものであった。
【０００３】
【発明が解決しょうとする課題】
これには次のような欠点があった。
イ．手に持ったときの感触が硬く、弾性付勢部材が金属のため冷たく感じ殺風景だった。
ロ．機能面のみのデザインで遊び心がなかった。
本発明は、以上の欠点を解決するためになされたものである。
【０００４】
【課題を解決するための手段】
二股の一対のつまび部を中間部分に形成された連結用回動部で、回動可能に対峙させ、此のつまび部の一端部に挟持片を形成し、他端部に開閉操作部を設け、両つまび部に亙って設けられた弾性付勢部材（６）で両つまび部の挟持片が近接する押圧付勢するとともに、他端部に形成された開閉操作部を指で操作して挟持片同士を離間させる。
ぬいぐるみ（７）は、背中部（１２）からクリップ（１）を収納するため、背中部（１２）は、開けておく。前足（８）は、クリップ（１）の前挟持片（２）を足の底に付くように作り、後足（９）もクリップ（１）の後挟持片（３）の底が付くように作る。
また、頭部（１０）に前つまび部（４）を収納し、尾部（１１）に後つまび部（５）を収納し、前足（８）、後足（９）の裏（１３）と、頭部（１０）と尾部（１１）の指で押圧するところは、滑り止め（１３）材を設け、使いやすいようにする。手にやさしさと、見た目の可愛らしさを形成したものである。
本発明は、以上のような構成よりなる、ぬいぐるみクリップである。
【０００５】
【発明の実施の形態】
以下、本発明の第一の実施の形態について説明する。図１に示すように、クリップは、二股の一対のつまび部を中間部分に形成された連結用回動部で、回動可能に対峙させ、この、つまび部の一端部に挟持片を形成し、他端部に開閉操作部を設け、両つまび部に亙って設けられた弾性付勢部材（６）で両つまび部の挟持片が近接する押圧付勢するとともに、他端部に形成された開閉操作部を指で操作して挟持片同士を離間させて構成されている。ぬいぐるみ（７）は、背中部（１２）からクリップ（１）を収納するため、背中部（１２）は開けておく。前足（８）は、クリップ（１）の前挟持片（２）を足の底に着くように作り、後足（９）もクリップ（１）の後ろ挟持片（３）の底が着くように作る。
また、頭部（１０）に前つまび部（４）を収納し、尾部（１１）に後つまび部（５）を収納し、ぬいぐるみ（７）の４本の足（８）（９）と頭部（１０）と尾部（１１）を利用してクリップ（１）として使用する。そして、ぬいぐるみ（７）と収納部用の内布の間に、綿、パンヤ等の充填材を詰めて形状に合う型にし、ぬいぐるみ（７）のクリップ（１）収納口背中部（１２）は、布の強度を保つために二重にしてジッパー等でとじる。
【０００６】
ぬいぐるみの前足（８）、後足（９）の足の裏（１３）と、頭部（１０）と尾部（１１）の指で押圧するところは、滑り止め（１３）材を設け使いやすいようにした。
本発明は、図３に示すように、手提げバック、紙袋、布袋その他の袋等の中の物が他人に見られないようにしたり、また、中の物が外に落ちこぼれないように、それらの開口部を挟むものであり、ぬいぐるみの前足と後足で懸命に挟み込んでいる姿が、見た目に可愛らしく、見る人を楽しませてくれる、ホツとさせる癒しの効果がある。
開口部を挟むものとして使用しない時は、ぬいぐるみ自体の姿が見た目に可愛らしいのでアクセサリーとしてハンドバック、車、室内、パソコン、机等の好きな所に飾り、留めおけば気分爽快、楽しく過ごせる。ミニマスコットとして身の回りのものに挟み持ち歩けるので、いつも、どこでも一緒の一体感、安らぎを持たせることができる等挟むことが有するもの、所で等で幅広く、色々なところに飾り、留めておくことが出来る。また、落下防止としてストラップの首輪を付けると更に活用範囲を拡げることができる。そして、ぬいぐるみの頭部には帽子等をかぶせ、前足、後足には、靴や靴下等をはかせると可愛らしさが倍増する。
また、ぬいぐるみ（７）が汚れた場合は、ぬいぐるみ（７）の収納部からクリップ（１）を取り出して洗濯できるようにしたり、クリップ（１）の機能が損なわれた場合は、交換のため取り出すことが出来る。
さらに、洗濯バサミ等にも活用できる。
【０００７】
【発明の効果】
本発明を使用することによって、手提げバック、紙袋、布袋その他の袋等の開口部を閉じることが出来るので、それらの中の物が他人に見られないように隠すことができ、また、中の物が外に落ちこぼれないように、防止することができる。また、ぬいぐるみにクリップが収納されているので、ぬいぐるみ自体を広く色々なところに飾り、留めおくことができるので、見た目の可愛らしさ、癒しの効果を十分に演出できる。しかも手の感触もソフトである。
【図面の簡単な説明】
【図１】クリップの斜視図
【図２】本発明のクリップを収納した斜視図
【図３】本発明の使用状態を示す斜視図
【符号の説明】
１    クリップ
２    前挟持片
３    後挟持片
４    前つまび部
５    後つまび部
６    弾性付勢部材
７    ぬいぐるみ
８    前足
９    後足
１０  頭部
１１  尾部
１２  背中部
１３  滑り止め
【図１】
2004316876.tif 000003
【図２】
2004316876.tif 000004
【図３】
2004316876.tif 000005
(57)【要約】      （修正有）【課題】自動変速機の構造を可能な限り簡素化すること。【解決手段】動力源回転軸に円錐形のプーリー２を取り付け、この円錐形プーリーに接触して回転する、外周をゴムタイヤ状にしたプーリーを円錐形プーリーの大径側から先端の小径側迄、回転出力軸上をスライドするように構成する。動力源から回転力を与えた状態において回転出力軸が無負荷または低負荷では、スライドプーリー３は円錐形プーリーの最大径付近で駆動されるので高速回転状態保ち、回転出力軸の負荷が増えるにしたがい、スライドプーリー軸受けにあるピン５は、変速カム７に設けた三角形穴の底辺方向に向かってコイルスプリング６の反発力と駆動負荷がバランスする点まで円錐形プーリー斜面をスライドプーリーが移動して留まり、無段階に変速しながら駆動を持続する。【選択図】図１
2004316874.tif 000002
【特許請求の範囲】
【請求項１】
動力源１により円錐形プーリー２を回転させ、この円錐形プーリーの最大径部分から最小径部分迄を移動しながら接触回転するようにしたスライドプーリーを備えて、このスライドプーリーの軸受け３を回転出力軸８に自由に平行移動するように差し込んでおき、更に前記軸受け３の外周に突出させたピン５を設けて、このピンを覆う状態で三角形の穴をあけたパイプ形状部材変速カム７を前記回転出力軸８に固定し、この三角形の穴に前記の突出させたピン５が入るように組み立てて、コイルスプリング６により前記スライドプーリーが円錐形プーリー２の最大径側に接触するように加圧しておく構成により、前記回転出力軸８の負荷増加レベルに従って前記変速カム７に設けた、前記三角形の穴に接触する前記ピン５が傾斜に沿って移動し、これに伴い前記スライドプーリーが前記円錐形プーリー２の最小径側方向に移動する事で無段変速作動するようにした、正逆両方向回転に機能する、自動変速機。
【発明の詳細な説明】
【０００１】
【発明の属する技術分野】
本発明は、自動変速機に関する。
【０００２】
【従来の技術】
従来の自動変速機は油圧や遠心力などを使用した複雑な構造を持つ。
【０００３】
【発明が解決しようとする課題】
従来から自動変速機は前記のとおり油圧や遠心力を応用した複雑な構造を持ち従って小型化が難しく、サイズ、重量、保守、コストなどが課題になっていた。
【０００４】
【課題を解決するための手段】
前記の課題を解決するため、自動変速機の構造を可能な限り簡素化して解決を図った。図１で示したように、動力源回転軸に円錐形のプーリーを取り付け、この円錐形プーリーに接触して回転する、外周をゴムタイヤ状にしたプーリーを円錐形プーリーの大径側から先端の小径側迄、回転出力軸上をスライドするようにして、このスライドするプーリーの軸受け外周部分にピンを立てておき、このピンを設けたスライドプーリー軸受けを包み込む形態で回転出力軸に取り付けたパイプ状の部材に三角形の穴をあけた変速カムを設けて、この三角形カム穴に前述のピンを入れ組み立てる。更にパイプ内部にコイルスプリングを入れ、このスプリングにより前述スライドプーリーが円錐形プーリーの最大径側に位置するように加圧して構成する。動力源から回転力を与えた状態において回転出力軸が無負荷または低負荷では、スライドプーリーのピンは変速カムに設けた三角形穴の頂点付近にとどまっており、スライドプーリーは円錐形プーリーの最大径付近で駆動されるため高速回転状態を保ち、回転出力軸の負荷が増えるにしたがい、スライドプーリー軸受けにあるピンは、変速カムに設けた三角形穴の底辺方向に向かってコイルスプリングの反発力と駆動負荷がバランスする点まで円錐形プーリーの斜面をスライドプーリーが移動して留まり、無段階に変速しながら駆動を持続する。一連の動作は動力源の正逆何れの回転方向に対しても同様に機能する。
【０００５】
【発明の実施の形態】
前項に概要を記したように動力源１には円錐形プーリー２が直接取り付けられるが、円錐形プーリーとスライドプーリーの耐久を高めるため、ギヤーやベルトなどにより予め減速入力しても差し支えない。高負荷用途に対しては、複数の円錐形プーリーとスライドプーリーをギヤーやベルト等で並列連結させた構造にして対応する事も可能であり、円錐形プーリーとスライドプーリーの外周接触駆動部分の材質選択も、性能、耐久性に対し重要である。コイルスプリング６の反発力はあとから調整可能とし、交換もできれば理想的である。変速カム７に設ける三角形穴の形状は用途が要求するトルクカーブに対応したものを各種用意する。
【０００６】
【実施例】
図１は無負荷又は負荷の低い状態を示し、図２、図３は最大負荷における、それぞれ正逆回転状態を示した本発明装置の１実施例斜視図である。使用する用途により構造形態は若干異なってくるが、対塵、耐水、耐熱などに対応し、機構部分をカバーで覆うなど必要な処置を施す。動力源に発熱を伴うものを使用する場合は、ギヤー、ベルト、延長シャフトなどを使用して円錐形プーリー迄の距離をとるか、または熱絶縁機能を持たせた構造にする。スライドプーリー外周駆動部分材質は対磨耗耐久性のある材質を選んで使用する。
【０００７】
【発明の効果】
従来から長期間にわたり使用されてきた、自動変速機はベルトを使用するものから油圧使用のものまで各種産業に使用されているが、何れも構造が複雑になるため、どうしても安価にできず、サイズも大型になり、使用保守にも手間がかかるものであった。本発明による自動変速機は極限まで部品点数を減らして構造の簡素化とコストダウンを図りながら正逆回転方向を問わず機能するようにした。シンプルな構造でありながら必要な機能を備えた自動変速機を多くの産業に向け安価に提供するものである。
【図面の簡単な説明】
【図１】本発明装置１実施例の（動力源正逆回転、低負荷高速時）を示す
【図２】本発明装置１実施例の（動力源時計回転、高負荷低速時）を示す
【図３】本発明装置１実施例の（動力源反時計回転、高負荷低速時）を示す
【符号の説明】
１．動力源
２．円錐型プーリー
３．スライドプーリー
４．シャフトストッパー
５．ピン
６．コイルスプリング
７．変速カム
８．回転出力軸
９．固定用ネジ
【図１】
2004316874.tif 000003
【図２】
2004316874.tif 000004
【図３】
2004316874.tif 000005
(57)【要約】【課題】Ｖベルトの摩擦面の磨耗屑の付着によるスリップや急激なドライブ側のトルク変動によるベルト鳴きを低減する為に、溝又は孔入りＶベルトを提供する。【解決手段】Ｖベルトの摩擦面に溝又は孔を設ける事により、ベルトやプーリーの磨耗屑が溝又は孔に入りスリップを低減させ急激なトルク変動によるベルト鳴きを低減させる。【選択図】図２
2004316878.tif 000002
【特許請求の範囲】
【請求項１】
Ｖベルトのプーリーとの接触面に、溝を設けたもの
【請求項２】
Ｖベルトのプーリーとの接触面に、孔を設けたもの
【発明の詳細な説明】
Ｖベルトのプーリーとの接触面に、溝又は孔を設ける事により、接触部より発生する磨耗屑を排出し、ベルトのスリップを防ぎ、ドライブ側の急激な負荷変動でもベルト鳴きの発生を低減させる事が出来る。
【０００１】
【発明の属する技術分野】
本発明はＶベルトに溝、又は孔を設ける事による摩擦面の清浄効果、騒音低減効果である。
【０００２】
【従来の技術】
Ｖベルトの摩擦面に、溝又は球状の孔は無い。
【０００３】
【発明が解決しようとする課題】
従来のＶベルトでは摩擦面が磨耗屑等でスリップする為、スリップを起こすと調整はするが、調整をしてもベルト鳴きやスリップはその後も起こり、結局はベルト交換する方が早い事や新品ベルトに交換したが、駆動トルクの強い回転物だと、ベルト鳴きが発生するものがある為。
【０００４】
【課題を解決する為の手段】
Ｖベルト摩擦面に溝又は球状の孔を設ける。
【０００５】
【発明の実施の形態】
以下、本発明の実施の形態について説明する。
（イ）Ｖベルトゴム部に深さ１〜１．５ｍｍ、幅３〜３．５ｍｍ、底辺に対し４５〜５０°で左上方へ向かって溝をほる。
但し、ワイヤー保護の為、Ｖベルト上部迄はほらない。
（ロ）Ｖベルトゴム部に深さ１．５〜２ｍｍ、直径４ｍｍの球状の孔を設ける。
（ハ）溝又は孔の数はそのベルトの摩擦面面積を考慮する。
（ニ）表面に加工を２個施したら、裏面にはその２個の間に１個設ける。
【０００６】
【発明の効果】
プーリーに付着する磨耗屑が減少し、急激なトルク変動の際のベルト鳴きがおさまった。
【図面の簡単な説明】
【図１】本発明の正面図である。
【図２】本発明の正面図である。
【図１】
2004316878.tif 000003
【図２】
2004316878.tif 000004
(57)【要約】【目的】軽量でエンジンの大出力に耐えることができ、無段階変速を行うこともできるトランスミッションの提供を目的とする。【構成】トランスミッションは、動力の入力軸及び出力軸と直結する回転円構成用装置及び、それらの回転円の連結物及び連結物偏向用の装置を構成とする。【選択図】              図１
2004316883.tif 000002
【特許請求の範囲】
【請求項１】
動力の入力軸と出力軸間連結物の回転によって形成され、動力の入力軸側と出力軸側の両軸側で対向する、回転円並設用伝動装置、及び前述の伝動装置の、動力の入力軸側と出力軸側の両側軸又は片側軸に直結する回転円の、回転円上連結物支点の変位用ガイドを、構成としたことを特徴とする、トランスミッション。
【発明の詳細な説明】
【０００１】
【発明の属する技術分野】
この発明は、自動車などの変速を行う伝動装置に関するものである。
【０００２】
【従来の技術】
従来のトランスミッションは、変速比を変化させる為の複数の歯車を構成とする構造が複雑なタイプの物や、円盤状やテーパー状や球状やベルト状の部品などを構成とした高出力の動力への対応に問題があるタイプの物が主であった。
【０００３】
【発明が解決しようとする課題】
従来の技術での上記したトランスミッションの欠点を解決する、トランスミッションを提供することを目的とする。
【０００４】
【課題を解決する為の手段】
この発明のトランスミッションは、動力の入力軸と出力軸間連結物の回転によって形成され、動力の入力軸側と出力軸側の両軸側で対向する、回転円並設用伝動装置、及び前述の伝動装置の、動力の入力軸側と出力軸側の両側軸又は片側軸に直結する回転円の、回転円上連結物支点の変位用ガイドを、構成としたことを特徴とする。
【０００５】
【作用】
この発明のトランスミッションは、動力の入力軸と出力軸にそれぞれ直結された回転円上をそれらの連結物が変位して入力軸側と出力軸側の回転円の大きさの比率を変化させる為に、複数の歯車なしに動力の入力側軸と出力側軸のトルクを変化させることができる。又、動力の入力軸と出力軸に直結する回転円の連結物との支点用ガイドを構成とする為に、連結された動力の入力側軸と出力側軸でトルクを連続的に変化させることができる。
【０００６】
【実施例】
図１は本発明のトランスミッション部分一例を示し、１は伝動用軸及び伝動用軸に直結する回転円構成用の伝動用回転装置部分である。ａは１に設けられた連結物支点変位用ガイドである。２及び２’は、２が２’を貫通し２と２’の位置が変位することができる伝動用回転軸装置部分であるが、２’と２は円筒状と軸状の物や、スプラインとスプライン軸となる物などその種類は限定されない。３と３’は、２と２’の支軸で連結され、３と３’も支軸で連結される、２と２’が変位することにより３と３’の支軸も変位するガイドを構成とした、伝動用軸に直結する回転円構成用連結部分である。４は動力の入力軸と出力軸に直結する回転円上でその両側の回転円連結用の３及び３’との支軸と連結する連結物であり、５は４との支軸を構成とし１と２及び２’との位置関係が変位することによりａ上を変位する回転円上連結物支点である。
図２は本発明のトランスミッション部分一例を示し、６と６’は、７と７’の動力の入力軸と出力軸及び軸に直結する回転円を構成とする回転部分、を貫通し、７と７’を滑らせて回転及び移動をさせる軸であるが、７と７’がそれぞれ接触する部分を円筒状部分と軸やスプラインとスプライン軸とするなど、その種類は限定されない。８と８’は、ｂとｂ’の７と７’に構成される歯車に接触し動力の入力と出力及び７と７’を６と６’上で移動させる伝動及び可動用歯車であるが、７と７’をスプラインとして６と６’をスプライン軸として伝動し、７と７’を別設の移動用装置で可動させるなど、その種類は限定されない。９は、６と６’を回転用軸及び固定用軸とし、４’の７と７’が移動することにより偏向する伝動用連結物を軸で支え偏向させる、４’と連結し回転する支軸である。
５’と５″は４’を軸で連結して、ａ’とａ″の７と７’に構成される支点変位用ガイドをスライドし可動する、回転円上連結物支点である。又、これらの図は部分的な物の例を示したものであり、連結部分の個数などや偏向部分の構造や形態、偏向の向きや偏向させる為の装置や方法など、その種類は限定されない。
（実施態様）
（１）この発明の回転円の変位は動力の入力側と出力側の両方が変位する物であっても又、それらのいずれかが変位する物であっても、その種類は限定されない。
（２）この発明のトランスミッションを含む物であれば、トランスミッション部分の連結や内接や組み合わせなど、その種類は限定されない。
（３）この発明のトランスミッションの構成を含む物であれば、トランスミッションの構造や形態や材質など、その種類は限定されない。
（４）この発明のトランスミッションの、動力の入力軸や出力軸は、動力の入力軸と出力軸間連結物の回転用伝動物であれば、その種類は限定されない。
（５）この発明のトランスミッションの、伝動用軸に直結する回転円の回転円上支点の変位用ガイドは、じくに直結する回転円の大きさを変化させることができる物であれば、その種類は限定されない。
（６）この発明のトランスミッションは、他の物や機能との組み合わせなど、その種類は限定されない。
【０００７】
【発明の効果】
この発明のトランスミッションは、動力の入力軸と出力軸にそれぞれ直結された回転円上をそれらの連結物が変位して入力軸側と出力軸側の回転円の大きさの比率を変化させる為に、複数の歯車なしに動力の入力側軸と出力側軸のトルクを変化させることができ、余分な重量物を減らすことができる効果を有す。又、動力の入力軸と出力軸に直結する回転円の連結物との支点用ガイドを構成とする為に、連結された動力の入力側軸と出力側軸でトルクを連続的に変化させることができ、高出力の動力に対応し伝動のトルクを変化させることができる効果を有す。
【図面の簡単な説明】
【図１】トランスミッション部分一例の部分図
【図２】トランスミッション部分一例の部分図
【符号の説明】１…伝動用回転装置部分  ２，２’…伝動用回転軸装置部分３，３’…伝動用軸に直結する回転円構成用連結部分  ４…回転円連結用連結物４’…伝動用連結物  ５、５’、５″…回転円上連結物支点  ６，６’…回転用及び移動用軸  ７、７’…回転円構成用回転部分  ８，８’…伝動用及び可動用歯車  ９…連結物偏向用支軸  ａ…連結物支点変位用ガイド  ｂ、ｂ’…７に設けられた歯車部分
【図１】
2004316883.tif 000003
【図２】
2004316883.tif 000004